(57)【特許請求の範囲】
【請求項１】
布帛の一部を昇華染料により捺染して第一捺染領域を形成する第一捺染工程と、
前記布帛の前記第一捺染領域とは異なる部分を顔料により捺染して前記第一捺染領域よりも薄い色を有する第二捺染領域を形成する第二捺染工程とを備え、
前記第一捺染工程は、前記昇華染料及びバインダが付着した第一基材を前記布帛に重ねる工程、及び、前記第一基材に付着した前記昇華染料を前記布帛に転写すると共に前記第一基材を前記布帛に仮固定する工程を含み、
前記第二捺染工程を前記第一基材が仮固定されたままの前記布帛に対して行い、
前記第二捺染工程は、前記顔料を含むインクによるインクジェット法で前記第二捺染領域を形成し、
前記第二捺染領域が前記第一捺染領域よりも薄い色を有するとは、前記第二捺染領域のシアン、マゼンダ、イエロー、ブラックの各反射濃度の内の最大値が、前記第一捺染領域のシアン、マゼンダ、イエロー、ブラックの各反射濃度の内の最大値よりも低いことである、捺染布帛の製造方法。
【請求項２】
布帛の一部を昇華染料により捺染して第一捺染領域を形成する第一捺染部と、
前記布帛の前記第一捺染領域とは異なる部分を顔料により捺染して前記第一捺染領域よりも薄い色を有する第二捺染領域を形成する第二捺染部とを備え、
前記第一捺染部は、前記昇華染料及びバインダが付着した第一基材を前記布帛に重ね、さらに、前記第一基材に付着した前記昇華染料を前記布帛に転写すると共に前記第一基材を前記布帛に仮固定する第一転写部を含み、
前記第二捺染部は、前記第一捺染部により捺染されかつ前記第一基材が仮固定されたままの前記布帛を捺染し、
前記第二捺染部は、前記顔料を含むインクによるインクジェット法で前記第二捺染領域を形成し、
前記第二捺染領域が前記第一捺染領域よりも薄い色を有するとは、前記第二捺染領域のシアン、マゼンダ、イエロー、ブラックの各反射濃度の内の最大値が、前記第一捺染領域のシアン、マゼンダ、イエロー、ブラックの各反射濃度の内の最大値よりも低いことである、捺染布帛の製造システム。
【発明の詳細な説明】
【技術分野】
【０００１】
本発明は、捺染布帛の製造方法及び捺染布帛の製造システムに関する。
【背景技術】
【０００２】
従来より、布帛に種々のパターンを捺染する方法として、昇華染料を用いる方法、及び、顔料を使用する方法が知られている。
【先行技術文献】
【特許文献】
【０００３】
【特許文献１】特表２００６−５００６０２号公報
【発明の概要】
【発明が解決しようとする課題】
【０００４】
しかしながら、昇華染料を使用する方法では、特に染料濃度の低い淡色部分が太陽光などにより色あせし易いと言う問題があった。また、顔料を使用する方法では特に濃色部分の発色が十分でないと言う問題があった。
【０００５】
本発明は上記課題に鑑みてなされたものであり、淡色部分の耐光性及び濃色部分の発色性を両立できる、捺染布帛の製造方法及び製造システムを提供することを目的とする。
【課題を解決するための手段】
【０００６】
本発明に係る捺染布帛の製造方法は、布帛の一部を昇華染料により捺染して第一捺染領域を形成する第一捺染工程と、前記布帛の前記第一捺染領域とは異なる部分を顔料により捺染して前記第一捺染領域よりも薄い色を有する第二捺染領域を形成する第二捺染工程とを備える。
【０００７】
本発明に係る捺染布帛の製造システムは、布帛の一部を昇華染料により捺染して第一捺染領域を形成する第一捺染部と、前記布帛の前記第一捺染領域とは異なる部分を顔料により捺染して前記第一捺染領域よりも薄い色を有する第二捺染領域を形成する第二捺染部とを備える。
【０００８】
本発明によれば、相対的に濃い色を有する第一捺染領域を昇華染料で捺染し、相対的に薄い色を有する第二捺染領域を顔料で捺染している。したがって、濃色部分の発色性を向上させられる上に、淡色部分の耐光性も向上できる。
【０００９】
ここで、上記方法では、前記第一捺染工程は、前記昇華染料が付着した第一基材を前記布帛に重ねる工程、及び、前記第一基材に付着した前記昇華染料を前記布帛に転写する工程を含み、前記第二捺染工程を前記第一捺染工程よりも後に行い、前記第二捺染工程を前記第一基材が重ねられたままの前記布帛に対して行うことができる。
【００１０】
また、上記システムでは、前記第一捺染部は、前記昇華染料が付着した第一基材から前記布帛に前記昇華染料を転写する第一転写部を含み、前記第二捺染部は、前記第一捺染部により捺染されかつ前記第一基材が重ねられたままの前記布帛を捺染することができる。
【００１１】
これによれば、第一捺染領域が第一基材に覆われた状態で、第二捺染工程が行われるので、第二捺染工程における第一捺染領域の汚れを防止できる。
【発明の効果】
【００１２】
本発明によれば、淡色部分の耐光性及び濃色部分の発色性を両立できる、捺染布帛の製造方法及び製造システムが提供される。
【図面の簡単な説明】
【００１３】
【図１】図１は、本発明の一実施形態に係る捺染布帛の製造システムの概念図である。
【図２】図２は、本発明の一実施形態に係る捺染布帛の製造方法を示す概念図である。
【発明を実施するための形態】
【００１４】
図１を参照して、本発明の１実施形態に係る捺染布帛の製造システム１００について説明する。この捺染布帛の製造システム１００は、第一捺染部１０、第二捺染部２０、及び、基材除去部３０を備える。
【００１５】
第一捺染部１０は、布帛の一部を昇華染料で捺染して第一捺染領域を形成する。第一捺染部１０は、プリンタ１２、第一重ね合わせ部１４、及び、第一転写部１６を有する。
【００１６】
プリンタ１２は、第一基材に対して昇華染料を含むインクで所望の画像を印刷し、昇華染料の画像が付着した第一基材を形成する。画像は、モノクロでもよいが、カラーであることが好ましい。画像は、コンピュータ上で作成することができ、公知の方法でプリンタ１２に供給できる。プリンタ１２の印刷方法は特に限定されず、例えば、インクジェット法、乾式電子写真法（例えばレーザープリンタ、ＬＥＤプリンタなど）等が挙げられる。インクジェット法であれば、昇華染料、及び、好ましくはバインダ（樹脂等）を含む液体インクを第一基材に塗布し乾燥させて、第一基材上に所望の画像を形成すればよい。乾式電子写真法であれば、昇華染料及び好ましくはバインダ（樹脂）を含む乾式インク（トナー）を第一基材に転写し、熱等により仮固定すればよい。
【００１７】
昇華染料は、加熱により昇華して布帛を染めることのできる染料であれば特に限定されず、布帛に合わせて適宜選択できる。このような昇華染料の例は、大気圧下、７０〜２６０℃で昇華又は蒸発する染料が好ましい。例えば、アゾ、アントラキノン、キノフタロン、スチリル、オキサジン、キサンテン、メチン、アゾメチン等の染料がある。これらの内、イエロー系分散染料の例としては、染料名Ｃ．  Ｉ．  Ｄｉｓｐｅｒｓｅ  Ｙｅｌｌｏｗ  ５１，  ５４，  ６０，  ６４，  ６５，  ７１，  ８２，  ９８，  １１４，  １１９，  １６０，  ２０１，  ２１１などが挙げられる。オレンジ系分散染料の例としては、Ｃ．  Ｉ．  Ｄｉｓｐｅｒｓｅ  Ｏｒａｎｇｅ  ２５，  ３３，  ４４，  ２８８などが挙げられる。レッド系分散染料の例としては、Ｃ．  Ｉ．  Ｄｉｓｐｅｒｓｅ  Ｒｅｄ  ４，  ２２，  ５５，  ５９，  ６０，  ７３，  ８６，  ９１，  １４６，  １５２，  １９１，  ３０２，  ３６４などが挙げられる。ブルー系分散染料の例としては、Ｃ．  Ｉ．  Ｄｉｓｐｅｒｓｅ  Ｂｌｕｅ  １４，  ２８，  ５６，  ６０，  ７２，  ７３，  ７７，  ３３４，  ３５９，  ３６０，  ３６６などが挙げられる。その他の色成分としては、Ｃ．  Ｉ．  Ｄｉｓｐｅｒｓｅ  Ｂｒｏｗｎ  ２７，  Ｃ．  Ｉ．  Ｄｉｓｐｅｒｓｅ  Ｖｉｏｌｅｔ  ２６，  ２７，  ２８等が挙げられる。上記以外の油溶性染料としては、Ｃ．  Ｉ．  Ｓｏｌｖｅｎｔ  Ｙｅｌｌｏｗ  １６，  ３３，  ９３，  １６０，  Ｃ．  Ｉ．  Ｓｏｌｖｅｎｔ  Ｏｒａｎｇｅ  ６０、Ｃ．  Ｉ．  Ｓｏｌｖｅｎｔ  Ｒｅｄ  １１１，  １５５，  Ｃ．  Ｉ．  Ｓｏｌｖｅｎｔ  Ｖｉｏｌｅｔ  ３１，  Ｃ．  Ｉ．  Ｓｏｌｖｅｎｔ  Ｂｌｕｅ  ３５，  ３６，  ５９，  ６３，  ９７，  １０４等が挙げられる。
これらの中でも、Ｃ．  Ｉ．  Ｄｉｓｐｅｒｓｅ  Ｙｅｌｌｏｗ  ５４，  ６０，  ６４，  ７１，  ８２，  Ｃ．  Ｉ．  Ｄｉｓｐｅｒｓｅ  Ｏｒａｎｇｅ  ２５，  ２８８，  Ｃ．  Ｉ．  Ｄｉｓｐｅｒｓｅ  Ｒｅｄ  ４，  ２２，  ５５，  ６０，  １４６，  ３０２，  ３６４，  Ｃ．  Ｉ．  Ｄｉｓｐｅｒｓｅ  Ｂｌｕｅ  １４，  ２８，  ５６，  ７２，  ３３４，  ３５９，  ３６０，  Ｃ．  Ｉ．  Ｄｉｓｐｅｒｓｅ  Ｖｉｏｌｅｔ  ２８，  Ｃ．  Ｉ．  Ｓｏｌｖｅｎｔ  Ｙｅｌｌｏｗ  １６，  ３３，  ９３，  Ｃ．  Ｉ．  Ｓｏｌｖｅｎｔ  Ｏｒａｎｇｅ  ６０，  Ｃ．  Ｉ．  Ｓｏｌｖｅｎｔ  Ｒｅｄ  １１１，  １５５，  Ｃ．  Ｉ．  Ｓｏｌｖｅｎｔ  Ｖｉｏｌｅｔ  ３１，  Ｃ．  Ｉ．  Ｓｏｌｖｅｎｔ  Ｂｌｕｅ  ３５，  ３６，  ５９，  ６３，  ９７，  １０４が好ましい。
【００１８】
バインダの例は、主として石油化学で合成されたものを挙げることができる。又、染着阻害のないバインダが望まれる。具体的には、水溶性ポリビニルアルコール系バインダ、水溶性アクリル系バインダ、水溶性ウレタン系バインダ、水溶性ウレタン変性エーテル系バインダ、水溶性ポリエチレンオキサイド系バインダ、水溶性ポリアミド系バインダ、水溶性フェノール系バインダ、水溶性酢酸ビニル系バインダ、水溶性スチレンアクリル酸系バインダ、水溶性スチレンマレイン酸系バインダ、水溶性スチレンアクリルマレイン酸系バインダ、水溶性ポリエステル系バインダ、水溶性ポリビニルアセタール系バインダ、水溶性ポリエステル・ウレタン系バインダ、水溶性ポリエーテル・ウレタン系バインダ、水溶性ホットメルト接着剤等を挙げることができ、これらから選ばれた１種又は２種以上の混合物が好ましく使用できる。
【００１９】
昇華染料を含むインクは、昇華染料及びバインダ以外に、表面張力調整剤、ヒドロトロープ剤、ＰＨ調整剤、粘度調整剤、防腐剤、防かび剤、防錆剤、酸化防止剤、還元防止剤、光安定剤、キレート化剤、消泡剤等を含むことができる。
【００２０】
第一基材は、印刷法に応じて適宜選択できる。例えば、通常の上質紙等を使用できる。
インクの転写の観点から、表面にインク受理層や接着剤がコーティングされている基材を使用できる。
【００２１】
第一基材において、画像のない部分が多い場合には、プリンタでの印刷後に第一基材を画像の縁に合わせてカットしてもよい。カットには、公知の切断装置を使用できる。
【００２２】
第一重ね合わせ部１４は、布帛と、昇華染料が付着した第一基材とを重ね合わせる。第一転写部１６は、第一基材に付着した昇華染料を、当該第一基材に重ね合わされた布帛に転写し、布帛を捺染する。
【００２３】
例えば、布帛及び昇華染料が付着した第一基材が長尺なフィルムである場合には、第一重ね合わせ部１４は一対のロールであることができ、一対のロール間に布帛及び第一基材を供給することによりこれらを重ね合わせることができる。そして、第一転写部１６として、重ね合わせに用いる一対のロール、或いは、当該一対のロールよりも後段にある一対のロールの少なくとも一方のロール、例えば、第一基材側のロールを加熱することにより、布帛及び第一基材を厚み方向にプレスしながら加熱することができ、昇華染料を第一基材から布帛に転写することができる。
【００２４】
また、布帛及び第一基材の少なくとも一方が長尺でなく小片である場合には、第一重ね合わせ部１４としてロボットハンドなどの搬送手段を用いて当該小片を他方に重ね合わせることができる。また、第一重ね合わせ部１４を省略して、布帛及び第一基材を手で重ね合わせることもできる。
【００２５】
このように一方が小片である場合、第一転写部１６として上述の少なくとも一方が加熱される一対のロールを使用してもよいが、例えば、一方の板を他方の板に対して押圧すると共に、少なくとも一方（好ましくは第一基材側）の板が加熱される、いわゆる、熱プレス機を使用することもできる。これにより、布帛及び第一基材を厚み方向にプレスしながら加熱して、昇華染料を布帛に転写することができる。この場合、下側の板上で、布帛及び第一基材を重ね合わせ、その後、上板と下板の間でこれらを熱プレスすることができる。
【００２６】
布帛としては化学繊維を７０％以上含む布帛が好ましい。化学繊維の例は、アセテートなどの半合成繊維、ポリエステル、ポリウレタン、アクリル、ナイロン、ビニロン等の合成繊維である。特に、ポリエステルを７０％以上含む布帛が好適である。
【００２７】
第二捺染部２０は、布帛の第一捺染領域とは異なる部分を顔料で捺染して、第一捺染領域よりも薄い色を有する第二捺染領域を形成する。第二捺染部２０は、プリンタ２２、第二重ね合わせ部２４、及び、第二転写部２６を有する。
【００２８】
プリンタ２２は、第二基材に対して顔料を含むインキで所望の画像を印刷し、顔料が付着した第二基材を形成する。画像は、モノクロでもよいが、カラーであることが好ましい。画像は、コンピュータ上で作成することができ、公知の方法でプリンタ２２に供給できる。印刷方法は特に限定されず、例えば、インクジェット法、乾式電子写真法（例えばレーザープリンタ、ＬＥＤプリンタなど）等が挙げられる。インクジェット法であれば、顔料、及び、好ましくはバインダ（樹脂等）を含む液体インクを第二基材に塗布し乾燥させて、第二基材上に所望の画像を形成すればよい。乾式電子写真法であれば、顔料、及び、及び、好ましくはバインダ（樹脂等）を含む乾式インク（トナー）を第二基材に転写し、熱等により固定すればよい。
【００２９】
顔料の例は、Ｃ．Ｉ．ピグメントイエロー７４、１２０、１２８、１３８、１５１１８５、２１７；Ｃ．Ｉ．ピグメントオレンジ１３、１６、３４、４３；Ｃ．Ｉ．ピグメントレッド１２２、１４６、１４８；Ｃ．Ｉ．ピグメントバイオレット１９、２３；Ｃ．Ｉ．ピグメントブルー１５、１５：１、１５：２、１５：３、１５：４、１５：５、１５：６、Ｃ．Ｉ．ピグメントグリーン７、８等が挙げられる。
【００３０】
バインダの例は、主として石油化学で合成されたものを挙げることができる。又、染着阻害のないバインダが望まれる。具体的には、水溶性ポリビニルアルコール系バインダ、水溶性アクリル系バインダ、水溶性ウレタン系バインダ、水溶性ウレタン変性エーテル系バインダ、水溶性ポリエチレンオキサイド系バインー、水溶性ポリアミド系バインダ、水溶性フェノール系バインダ、水溶性酢酸ビニル系バインダ、水溶性スチレンアクリル酸系バインダ、水溶性スチレンマレイン酸系バインダ、水溶性スチレンアクリルマレイン酸系バインダ、水溶性ポリエステル系バインダ、水溶性ポリビニルアセタール系バインダ、水溶性ポリエステル・ウレタン系バインダ、水溶性ポリエーテル・ウレタン系バインダ、水溶性ホットメルト接着剤等を挙げることができ、これらから選ばれた１種又は２種以上の混合物が好ましく使用できる。
【００３１】
顔料を含むインクは、顔料及びバインダ以外に、表面張力調整剤、ヒドロトロープ剤、ＰＨ調整剤、粘度調整剤、防腐剤、防かび剤、防錆剤、酸化防止剤、還元防止剤、光安定剤、キレート化剤、消泡剤等を含むことができる。
【００３２】
第二基材は、印刷法に応じて適宜選択できる。例えば、通常の上質紙等を使用できる。
【００３３】
第二基材において、画像のない部分が多い場合には、プリンタでの印刷後に第二基材を画像の縁に合わせてカットしてもよい。
【００３４】
第二重ね合わせ部２４は、布帛と、顔料が付着した第二基材とを重ね合わせる。第二転写部２６は、第二基材に付着した顔料を布帛に転写する。第二重ね合わせ部２４及び第二転写部２６は、第一捺染部１０で使用した第一基材が付着したままの布帛に対して第二基材を重ね合わせ及び顔料の転写を行う。転写は熱により行うことができる。第二重ね合わせ部２４、及び、第二転写部２６としては、第一重ね合わせ部１４及び第一転写部１６と同様のものを使用することができる。なお、ロボットハンドなどを使用して布帛に第二基材を重ね合わせる場合には、カメラにより布帛を撮影し、布帛上に付着している第一基材の位置を確認した上で、第一基材の位置を基準に第二基材を正確に重ねることができる。
【００３５】
第二捺染部２０においては、第二捺染領域の色が、第一捺染領域の色よりも薄くなるように、捺染を行う。色の濃さは、使用する昇華染料／顔料の種類及び配合、基材に付着させるインクの厚みなどを代えることにより変更できる。
【００３６】
各捺染領域における色の濃さとは、シアン、マゼンダ、イエロー、ブラックの各反射濃度の内の最大値である。各反射濃度の内の最大値の差に基づいて、異なる色の捺染領域間で色の濃さの相対的関係が定まる。具体的には、第１捺線領域と第２捺線領域の内、４色の反射濃度のうちの最大値が高い方が相対的に色が濃く、４色の反射濃度の内の最大値が低い方が相対的に色が薄い。なお、上記反射濃度の測定条件は、第一捺染領域及び第二捺染領域の測定において互いに同じであれば特に限定されない。
【００３７】
ここでいう反射濃度とは、完全拡散反射面によって円錐の中で反射するすべての光束に対する、試料によって制限された方向に反射する光束の比率である反射率の逆数の常用対数である。この反射濃度の測定に関しては、ＩＳＯ５−３およびＩＳＯ５−４において規定する幾何学的条件および分光測定条件のもとで測定する機器によって測定された数値と定められている。例えば、光源としては、ＣＩＥ（国際照明委員会）が規定する標準光源の規格である、色温度６０５４ＫのＤ６５光源を使用することができる。この場合、第一捺染領域の色の濃さは１．０以上であることができ、第二捺染領域の色の濃さは０．７以下であることができる。
【００３８】
１つの第一捺染領域Ｒ１又は第二捺染領域Ｒ２において４色の反射濃度の内の最大値が異なる部分がある場合には、各領域において当該最大値の内の最大値に基づいて比較すればよい。
【００３９】
また、第一捺染領域Ｒ１及び第二捺染領域Ｒ２がそれぞれ複数ある場合には、全ての第一捺染領域Ｒ１の色の濃さ及び全ての第二捺染領域Ｒ２の色の濃さが、上述の関係を満たすことができる。
【００４０】
基材除去部３０は、第一捺染部１０及び第二捺染部２０を通過して得られた捺染布帛から、第一基材及び第二基材を除去する。除去方法としては、基材除去部３０を省略して、手で剥離することも可能である。
【００４１】
続いて、本発明の実施形態に係る捺染布帛の製造方法について図２を参照して説明する。まず、図２の（ａ）に示すように、上述のプリンタ１２を用いて、第一基材５２上に昇華染料を含むインキ５４を所望のパターンで付着させ、昇華染料付着第一基材５０を得る。
【００４２】
続いて、続いて図２の（ｂ）に示すように、上述の第一重ね合わせ部１４を用いて昇華染料付着第一基材５０と布帛Ｆとを重ね合わせる。この時、昇華染料を含むインキ５４が布帛Ｆと直接接触するように布帛Ｆと昇華染料付着第一基材５０とを重ね合わせる。布帛Ｆにおける昇華染料付着第一基材５０と接触した部分が第一捺染領域Ｒ１となる予定の領域である。
【００４３】
続いて、図２の（ｃ）に示すように、上述の第一転写部１６により昇華染料付着第一基材５０を加熱して、昇華染料を布帛Ｆに転写して第一捺染領域Ｒ１を形成する（第一捺染工程）。
【００４４】
続いて、図２の（ｄ）に示すように、プリンタ２２を用いて、第二基材６２上に顔料を含むインキ６４を所望のパターンで付着させ、顔料付着第二基材６０を得る。
【００４５】
続いて、続いて図２の（ｅ）に示すように、上述の第二重ね合わせ部２４を用いて顔料付着第二基材６０と布帛Ｆとを重ね合わせる。この時、顔料を含むインキ６４が布帛Ｆと直接接触するように布帛Ｆと顔料付着第二基材６０とを重ね合わせる。布帛Ｆにおける顔料付着第二基材６０と接触した部分が第二捺染領域Ｒ２となる予定の領域である。ここでは、第一基材５２を剥離することなく、第一捺染領域Ｒ１に重ねられた状態のまま、布帛Ｆに顔料付着第二基材６０を重ね合わせる。第一捺染領域Ｒ１と第二捺染領域Ｒ２とは異なる領域である。
【００４６】
続いて、上述の第二転写部２６により顔料付着第二基材６０を加熱して、顔料を布帛Ｆに転写して第二捺染領域Ｒ２を形成する（第二捺染工程）。この場合、顔料を含むインキ６４が布帛Ｆの表面に付着することとなる。
【００４７】
続いて、続いて図２の（ｆ）に示すように、上述の基材除去部３０により、布帛Ｆから第一基材５２及び第二基材６２を除去する。これにより、第一捺染領域Ｒ１及び第二捺染領域Ｒ２を有する捺染布帛Ｆが完成する。すなわち、この捺染布帛Ｆは、昇華染料で捺染された第一捺染領域Ｒ１と、第一捺染領域Ｒ１とは異なる位置にあって顔料を含むインキが付着した、即ち顔料で捺染された第二捺染領域Ｒ２とを有し、第一捺染領域Ｒ１の色は第二捺染領域Ｒ２よりも濃い。
【００４８】
本実施形態によれば、相対的に濃い色を有する第一捺染領域Ｒ１を昇華染料で捺染し、相対的に薄い色を有する第二捺染領域Ｒ２を顔料で捺染している。したがって、濃色部分の発色性を向上させられる上に、淡色部分の耐光性も向上できる。
【００４９】
さらに、第一捺染領域Ｒ１が第一基材５２に覆われた状態で、第二捺染領域Ｒ２を形成する第二捺染工程が行われるので、第二捺染工程における第一捺染領域Ｒ１の汚れを防止できる。特に、昇華捺染インクがバインダを含んでいると、インクの転写後に第一基材５２が布帛に仮固定されるので好ましい。
【００５０】
本発明は上記実施形態に限定されず、様々な変形態様が可能である。
例えば、上記実施形態では、第二捺染工程を終了するまで第一基材を布帛から除去しないが、第一捺染工程の終了後、第二捺染工程の開始前に第一基材を布帛から除去しても実施は可能である。
【００５１】
また、上記実施形態では、第一捺染工程すなわち昇華染料による捺染を先に行い、第二捺染工程即ち顔料による捺染を後に行っているが、第二捺染工程即ち顔料による捺染を先に行い、第一捺染工程すなわち昇華染料による捺染をその後に行っても実施は可能である。
【００５２】
また、上記実施形態では、第一捺染工程及び第二捺染工程の両方において、一端基材上にインクの画像を形成し、その後基材に付着したインクを布帛に転写しているが、第一捺染工程及び第二捺染工程の少なくとも一方において、基材を用いることなくプリンタから染料／顔料を布帛に直接印刷しても実施可能である。
【符号の説明】
【００５３】
Ｆ…布帛、Ｒ１…第一捺染領域、Ｒ２…第二捺染領域、５２…第一基材、６２…第二基材、１０…第一捺染部、１２…プリンタ、１４…第一重ね合わせ部、１６…第一転写部、２０…第二捺染部、２２…プリンタ、２４…第二重ね合わせ部、２６…第二転写部、３０…基材除去部、１００…捺染布帛の製造システム。
【要約】
【課題】淡色の耐光性及び濃色の発色性を両立できる、捺染布帛の製造方法及び製造システムを提供する。
【解決手段】この捺染布帛の製造方法は、布帛の一部を昇華染料により捺染して第一捺染領域を形成する第一捺染工程と、布帛の第一捺染領域とは異なる部分を顔料により捺染して第一捺染領域よりも淡色を有する第二捺染領域を形成する第二捺染工程とを備える。
【選択図】図１【図１】
0006018689.tif 000002
【図２】
0006018689.tif 000003